(57)【要約】
【課題】　有効に安定して多角レンチと連接でき、且つ操作が便利である多角レンチ用スリーブの連接装置を提供する。
【解決手段】　本体１２と、連接部１４とから構成されている。本体１２は円柱体を呈し、二端部の間にある周面には円心軸方向へ延びた複数の溝２２が設けられており、各溝２２の断面積は異なっている。連接部１４は本体２３をその内部に収納しても溝２２が完全に被らない第一管体４２を有する。これにより、有効に安定して多角レンチと連接でき、且つ操作が便利である
【選択図】　　図１
0003099715.tif 000002
【実用新案登録請求の範囲】
【請求項１】
　本体と、連接部とから構成された多角レンチ用スリーブの連接装置であって、
　前記本体は、円柱体を呈し、二端部の間にある周面には円心軸方向へ延びた複数の溝が設けられており、前記各溝の断面積は異なり、
　前記連接部は、前記本体をその内部に収納しても本体に設けた該溝が完全に被らない第一管体を有することを特徴とする多角レンチ用スリーブの連接装置。
【請求項２】
　該本体の一端には、前記各溝の開口が設けられていることを特徴とする請求項１に記載の多角レンチ用スリーブの連接装置。
【請求項３】
　該第一管体は、該本体の円心軸を中心として旋回自在であり、且つ前記第一管体の内面の幾何中心軸は前記本体の円心軸と異なっていることを特徴とする請求項１に記載の多角レンチ用スリーブの連接装置。
【請求項４】
　該連接部は、さらに第二管体と、第三管体とを含み、
　前記第二管体と前記第三管体とは、前記本体がその内部に嵌め込まれ、且つ前記本体に固接し、別々に前記第一管体の両端に設置され、前記第一管体の両端はそれぞれ前記第二管体と第三管体との一端に嵌め込まれて軸接しており、前記第一管体を回転させるときに、前記第一管体の内面の幾何中心軸は前記本体の円心軸に対して回転することを特徴とする請求項３に記載の多角レンチ用スリーブの連接装置。
【請求項５】
　該本体の少なくとも一端には、若干の多角レンチを集中して収納するための前記各溝の開口が設けられており、且つ第四管体がそれに嵌め込まれて固接することを特徴とする請求項３に記載の多角レンチ用スリーブの連接装置。
【請求項６】
　該本体の少なくとも一端には、第四管体がそれに嵌め込まれて固接し、前記各溝の開口が設けられており、若干の多角レンチのより長いロッド部が前記開口に挿入されて集中収納可能であることを特徴とする請求項４に記載の多角レンチ用スリーブの連接装置。
【請求項７】
　前記本体における前記各溝の断面形状は、多角形の一部であることを特徴とする請求項１から請求項６までの何れかに記載の多角レンチ用スリーブの連接装置。
【請求項８】
　前記本体における前記各溝の断面形状は、六角形の一部であることを特徴とする請求項７に記載の多角レンチ用スリーブの連接装置。
【請求項９】
　前記本体における前記各溝の断面形状は、円形の一部であることを特徴とする請求項１から請求項６までの何れかに記載の多角レンチ用スリーブの連接装置。
【考案の詳細な説明】
【技術分野】
【０００１】
　この考案は、手工具に係り、特に、Ｌ型多角レンチ用スリーブの連接装置に関する。
【背景技術】
【０００２】
　目下、Ｌ型多角レンチのなかには、断面形状が六角形のものが多い。使用者が六角レンチの一端をねじの頭に設けた六角形の穴に挿入して、前記六角レンチの他端を回転させると、前記ねじも回転される。
【考案の開示】
【考案が解決しようとする課題】
【０００３】
　しかしながら、ときには操作スペースが不足し、六角レンチをねじの方向に力を加えることが難しくなり、これが原因で六角レンチは回転している際に、ねじの頭に設けた六角形の穴から脱出することがよくあった。
　また、一般のＬ型多角レンチは両端ともねじを回転するために利用されるため、Ｌ型多角レンチにハンドルが設けられないので、適当な着力箇所がない。
【０００４】
　本考案の主な目的は、有効に安定して多角レンチと連接でき、且つ操作が便利である多角レンチ用スリーブの連接装置を提供する。
　本考案の次の目的は、メートルシステムの多角レンチとイグリスシステムの多角レンチとが同時に使用できる多角レンチ用スリーブの連接装置を提供する。
【課題を解決するための手段】
【０００５】
　上記目的を達成するためになされた本考案の請求項１は、本体と、連接部とから構成された多角レンチ用スリーブの連接装置であって、前記本体は、円柱体を呈し、二端部の間にある周面には円心軸方向へ延びた複数の溝が設けられており、前記各溝の断面積は異なり、前記連接部は前記本体をその内部に収納しても本体に設けた該溝が完全に被らない第一管体を有することを特徴とする多角レンチ用スリーブの連接装置であることを要旨としている。
【０００６】
　本考案の請求項２では、該本体の一端には、前記各溝の開口が設けられていることを特徴とする請求項１に記載の多角レンチ用スリーブの連接装置であることを要旨としている。
　本考案の請求項３では、該第一管体は該本体の円心軸を中心として旋回自在であり、且つ前記第一管体の内面の幾何中心軸は前記本体の円心軸と異なっていることを特徴とする請求項１に記載の多角レンチ用スリーブの連接装置であることを要旨としている。
【０００７】
　本考案の請求項４では、該連接部は、さらに第二管体と第三管体とを含み、前記第二管体と第三管体とは前記本体がその内部に嵌め込まれ、且つ前記本体に固接し、別々に前記第一管体の両端に設置され、なお、前記第一管体の両端はそれぞれ前記第二管体と第三管体との一端に嵌め込まれて軸接しており、そうすると、前記第一管体を回転させるときに、前記第一管体の内面の幾何中心軸は前記本体の円心軸に対して回転することを特徴とする請求項３に記載の多角レンチ用スリーブの連接装置であることを要旨としている。
【０００８】
　本考案の請求項５では、該本体の少なくとも一端には、若干の多角レンチを集中して収納するために、前記各溝の開口が設けられており、且つ第四管体がそれに嵌め込まれて固接することを特徴とする請求項３に記載の多角レンチ用スリーブの連接装置であることを要旨としている。
【０００９】
　本考案の請求項６では、該本体の少なくとも一端には、第四管体がそれに嵌め込まれて固接し、前記各溝の開口が設けられており、これにより、若干の多角レンチのより長いロッド部が前記開口に挿入されて集中収納されることができることを特徴とする請求項４に記載の多角レンチ用スリーブの連接装置であることを要旨としている。
【００１０】
　本考案の請求項７では、前記本体における前記各溝の断面形状は多角形の一部であることを特徴とする請求項１から請求項６までの何れかに記載の多角レンチ用スリーブの連接装置であることを要旨としている。
【００１１】
　本考案の請求項８では、前記本体における前記各溝の断面形状は六角形の一部であることを特徴とする請求項７に記載の多角レンチ用スリーブの連接装置であることを要旨としている。
【００１２】
　本考案の請求項９では、前記本体における前記各溝の断面形状は円形の一部であることを特徴とする請求項１から請求項６までの何れかに記載の多角レンチ用スリーブの連接装置であることを要旨としている。
【考案を実施するための最良の形態】
【００１３】
　図１を参照する。本考案の一実施例による多角レンチ用スリーブの連接装置１は、本体１２と、連接部１４とから構成される。
　前記本体１２は、円柱体を呈し、二端部の間にある周面には円心軸１２Ｓ方向へ延びた複数の溝２２が設けられており、前記本体１２における各溝２２の断面積は異なっている。
【００１４】
　前記連接部１４は、前記本体１２をその内部に収納しても本体１２に設けた該溝２２が完全に被らない第一管体４２を有する。使用者が適当な溝２２を選択して、Ｌ型多角レンチのより短いロッド部を前記本体１２の側面から前記第一管体４２の内部まで挿入すると、前記本体１２は手で握れるハンドルになり、全体の操作が便利になる。さらに、該本体１２の一端には、若干の多角レンチを集中して収納するために、前記各溝２２の開口が設けられている。
【００１５】
　また、図２と図３とを参照する。該第一管体４２は、前記本体１２をその内部に収納し、該本体１２の円心軸１２Ｓを中心として旋回自在であり、且つ前記第一管体４２の内面４２１の幾何中心軸４２１Ｓは前記本体１２の円心軸１２Ｓと異なっているため、前記第一管体４２を回転させるときに、前記第一管体４２の内面４２１の幾何中心軸４２１Ｓは前記本体１２の円心軸１２Ｓに対して回転する。
【００１６】
　そして、前記連接部１４はさらに第二管体４４と第三管体４６とを含み、前記第二管体４４と第三管体４６とは前記本体１２がその内部に嵌め込まれ、且つ前記本体１２に固接し、別々に前記第一管体４２の両端に設置され、なお、前記第一管体４２の両端はそれぞれ前記第二管体４４と第三管体４６との一端に嵌め込まれて軸接しており、そうすると、前記第一管体４２を回転させるときに、前記第一管体４２の内面４２１の幾何中心軸４２１Ｓは前記本体１２の円心軸１２Ｓに対して回転する。
【００１７】
　図４から図６を参照する。使用者が適当な溝２２を選択して、Ｌ型多角レンチのより短いロッド部を前記連接部１４の前記第一管体４２の内部まで挿入するときに、前記第一管体４２の内面４２１と六角レンチとの間には隙間が残っており、使用者が前記第一管体４２を旋回させると、前記第一管体４２の内面４２１の幾何中心軸４２１Ｓは前記本体１２の円心軸１２Ｓと異なっているため、前記内面４２１が前記隙間を補償して前記六角レンチを緊迫する。
【００１８】
　また、図４から図６を参照する。該本体１２の少なくとも一端には、第四管体２４がそれに嵌め込まれて固接し、前記各溝２２の開口が設けられており、これにより、若干の多角レンチのより長いロッド部が前記開口に挿入されて集中収納されることができる。
　上記の本実施例の構成で、前記本体１２における前記各溝２２の断面形状は多角形の一部である。
【００１９】
　上記の本実施例の構成で、前記本体１２における前記各溝２２の断面形状は六角形の一部である。
　図７を参照する。上記の本実施例の構成で、前記本体１２における前記各溝２２の断面形状は円形の一部である。
【００２０】
　これは次のような効果がある。
　（イ）有効に安定して多角レンチと連接でき、且つ操作が便利になる。
　（ロ）メートルシステムの多角レンチとイグリスシステムの多角レンチとが同時に使用できるため、使用の自由度が高くなる。
【図面の簡単な説明】
【００２１】
【図１】本考案の実施例１による多角レンチ用スリーブの連接装置に六角レンチが組み合わされる状態を示す斜視図である。
【図２】本考案の実施例２による多角レンチ用スリーブの連接装置を示す分解斜視図である。
【図３】本考案の実施例２による多角レンチ用スリーブの連接装置を示す斜視図である。
【図４】本考案の実施例２による多角レンチ用スリーブの連接装置に六角レンチが組み合わされる状態を示す斜視図である。
【図５】本考案の実施例２による多角レンチ用スリーブの連接装置が六角レンチを緊迫していない状態を示す長手方向の断面図である。
【図６】本考案の実施例２による多角レンチ用スリーブの連接装置が六角レンチを緊迫する状態を示す長手方向の断面図である。
【図７】本考案の実施例３による多角レンチ用スリーブの連接装置を示す斜視図である。
【符号の説明】
【００２２】
　１　連接装置、１２　本体、１２Ｓ　円心軸、１４　連接部、２２　溝、２４　第四管体、４２　第一管体、４４　第二管体、４６　第三管体、４２１　内面、４２１Ｓ　幾何中心軸
【図１】
0003099715.tif 000003
【図２】
0003099715.tif 000004
【図３】
0003099715.tif 000005
【図４】
0003099715.tif 000006
【図５】
0003099715.tif 000007
【図６】
0003099715.tif 000008
【図７】
0003099715.tif 000009